(57)【要約】      （修正有）【課題】携帯電話の内蔵電源の容量不足を補う臨時電源を携帯電話同様に常時所持可能とすると共に、所持時における不測の衝撃による臨時電源本体の破損、例えば所持時における落下や他の物品との接触等によって本体自体の破損を防止できる携帯電話の臨時電源用ケースを提供する。【解決手段】少なくとも携帯電話の臨時電源を収納できる収納区画を有する持ち運び可能な小型の筐体からなり、該臨時電源を筐体内に収納すると共にその取出しを可能とし、該筐体が少なくとも衝撃を吸収可能な部材からなる携帯電話の臨時電源用ケースである。【選択図】図１
0003143123.tif 000002
【実用新案登録請求の範囲】
【請求項１】
少なくとも携帯電話の臨時電源を収納できる収納区画２を有する持ち運び可能な小型の筐体１からなり、
該臨時電源を筐体１内に収納すると共にその取出しを可能とし、
該筐体１が少なくとも衝撃を吸収可能な部材からなることを特徴とする携帯電話の臨時電源用ケース。
【請求項２】
衝撃を吸収可能な部材が軟質の樹脂部材であることを特徴とする請求項１に記載の携帯電話の臨時電源用ケース。
【請求項３】
衝撃を吸収可能な樹脂部材が硬質の樹脂部材であることを特徴とする請求項１に記載の携帯電話の臨時電源用ケース。
【請求項４】
該臨時電源を筐体１内で保持可能な保持部３を有すると共に、
該保持部３によって該臨時電源を収納区画２内に保持するものであることを特徴とする請求項１乃至３のいずれかに記載の携帯電話の臨時電源用ケース。
【請求項５】
筐体１が本体１０と蓋体１１とで形成されているものであって、
本体１０内に収納区画２を有すると共に該本体10を蓋体11で開閉自在に閉鎖することを特徴とする請求項１乃至４のいずれかに記載の携帯電話の臨時電源用ケース。
【請求項６】
筐体１に隙間１２を有し、該隙間１２からディスプレイ用の吊り下げ具５１を突出して配置することができることを特徴とする請求項１乃至５のいずれかに記載の携帯電話の臨時電源用ケース。
【請求項７】
筐体１の隙間１２が、筐体１を構成する本体１０と蓋体１１との隙間であって、両者の嵌着部分に隙間１２を構成したことを特徴とする請求項６に記載の携帯電話の臨時電源用ケース。
【考案の詳細な説明】
【技術分野】
【０００１】
本考案は、携帯電話の臨時電源を収納可能である携帯電話の臨時電源用ケースに関する。
【背景技術】
【０００２】
従来、携帯電話に関しては、該携帯電話を収納できると共に所持、持ち運び、保管等を容易にし、更には外部からの衝撃を吸収し破損等を防止するための携帯電話用のケースは多用されているものである。
例えば、特開２００３‐９９２８号（特許文献１）や特開２００２‐１６４９８４号（特許文献２）或いは、特開２００１‐２８６３１８号（特許文献３）等が存在する。
【０００３】
この他、携帯電話と共に携帯電話用の備品も収納可能なケースとして特開２００１‐２３０５５７号（特許文献４）も存在する。
更に携帯電話の充電器に関しては、収納ケースとして趣味性等を満足させるための特開２００２‐３００７３０号（特許文献５）も存在する。
【特許文献１】特開２００３‐９９２８号
【特許文献２】特開２００２‐１６４９８４号
【特許文献３】特開２００１‐２８６３１８号
【特許文献４】特開２００１‐２３０５５７号
【特許文献５】特開２００２‐３００７３０号
【考案の開示】
【考案が解決しようとする課題】
【０００４】
以上のように、携帯電話機自体に関しては常時所持するものであることから、該携帯電話を収納して常時所持するためのケースは、前記特許文献１乃至特許文献３などの例があり、その他各種の携帯電話機の所持用のケースは多用されている。
しかし、これは携帯電話自体を収納し、持ち運びの便宜と共に衝撃等から携帯電話を保護するものとして使用するものであって、他の携帯電話の備品等においてまで収納可能とするものではなかった。
【０００５】
これに対して、特許文献４に示す携帯電話用ケースは携帯電話自体と共に着信検知装置を収納でき、携行しやすい構成としているものがある。
これは着信検知装置ゆえ、着信状態を受信することが必要であることからどうしても携帯電話と一体的に収納することが必要となるものであり、携帯電話の収納ケースの一部に該着信検知装置を装着するものであった。
【０００６】
従って、携帯電話と一体となるものであり、どうしても嵩張ると共に着信検知装置であることが前提となるものである。  これらの他、携帯電話の備品である充電器に関しても、収納ケースとして特許文献５が存在する。
しかしそもそもこれは商用電源からの充電を目的とした充電器のカバーであり、外部に持ち出して携行所持するものとは全く異なるものである。
【０００７】
これに対して、携帯電話の内蔵電源の容量不足を補うと共に緊急時における電源の確保のための携帯電話の臨時電源に関しては、携帯電話と同様に所持が必要である。
従って、携帯電話用臨時電源をそのままの状態で常時所持することとなり、所持時における不測の衝撃による臨時電源本体の破損例えば所持時における落下や他の物品との接触等によって本体自体が破損する可能性がどうしても出てしまうものである。
【０００８】
特に携帯電話との接続のための端子部分は、本体から外部に突出して形成されているものであり、通常は端子部分を覆うケースやカバーは着脱自在に装着されている場合があるが、端子部分のみ覆うものや、強い衝撃に対しては防御できないもの等があり、何らかの方策が望まれているものである。
更に、前記のように常時所持する携帯電話用臨時電源をより所持しやすくするための何らかの方策が望まれているものである。
【課題を解決するための手段】
【０００９】
以上のように係る課題を見事に解決するため考案されたものであり、請求項１に係る考案は、少なくとも携帯電話の臨時電源を収納できる収納区画を有する持ち運び可能な小型の筐体からなり、該臨時電源を筐体内に収納すると共にその取出しを可能とし、該筐体が少なくとも衝撃を吸収可能な部材からなる携帯電話の臨時電源用ケースからなるものである。
係る考案によって前記課題を見事に解決できるものである。
【００１０】
又、請求項２に係る考案は衝撃を吸収可能な部材が軟質の樹脂部材である携帯電話の臨時電源用ケースであり、請求項３に係る考案は衝撃を吸収可能な樹脂部材が硬質の樹脂部材である携帯電話の臨時電源用ケースであって、いずれの考案によっても前記と同様に本課題を解決できるものである。
更に、請求項４に係る考案は該臨時電源を筐体内で保持可能な保持部を有すると共に、該保持部によって該臨時電源を収納区画内に保持する携帯電話の臨時電源用ケースからなり、係る考案によっても同様に前記課題を解決できる。
【００１１】
又、請求項５に係る考案のように筐体が本体と蓋体とで形成されているものであって、本体内に収納区画を有すると共に該本体を蓋体で開閉自在に閉鎖する携帯電話の臨時電源用ケースを用いても前記課題を解決できる。
これらの他、請求項６に係る考案のように筐体に隙間を有し、該隙間からディスプレイ用の吊り下げ具を突出して配置するものでも、或いは請求項７に係る考案のように筐体の隙間が、筐体を構成する本体と蓋体との隙間であって、両者の嵌着部分に隙間を構成したものであってもよい。
【考案の効果】
【００１２】
まず請求項１に係る考案によって、携帯電話の臨時電源を収納区画内に収納することができる小型の筐体からなるものであり、臨時電源を収納状態で持ち運び可能とするものであり、更に筐体が衝撃を吸収可能な部材よりなることから、臨時電源の持ち運び時の破損や衝撃に伴う故障などを防止できるものである。
したがって、臨時電源の常時の携帯を可能とし、携帯電話と共にいつでも使用できることとなる。
【００１３】
次に請求項２に係る考案によれば、軟質の樹脂部材によって衝撃を吸収できることとなり、請求項３に係る考案によれば、硬質の樹脂部材によって衝撃を吸収することができるものである。
以上より所謂ソフトケースやハードケースを用いることによって臨時電源の収納時の破損や故障を防ぐことができるものである。
次に請求項４に係る考案によれば、臨時電源を筐体内の収納区画に保持部をもってきっちりと保持できるものであり、収納状態の維持をきっちりと図ることができ、該区画内部でのズレなどによる破損などを防止できる。
【００１４】
更に、請求項５に係る考案によれば、本体に対して開被可能な蓋体を有するものとなり、その開被と閉鎖を容易とすることにより臨時電源の収納と取り出しの便宜が図れ、使い勝手の向上を図ることができる。
更に請求項６に係る考案によれば吊り下げ具を筐体外部に突出して配設することができることとなり、販売時のディスプレイ等の設置を容易にできる。
又、請求項７に係る考案によれば、吊り下げ具を筐体を構成する本体と蓋体との隙間から突出することができることとなる。
【考案を実施するための最良の形態】
【００１５】
図１は、本考案に係る携帯電話用臨時電源のケースの一例を示す図であり、少なくとも該臨時電源を収納するスペースを有する筐体１からなるものであると共に持ち運び可能な小型の筐体からなるものである。
本図に示す構成は、本体１０と蓋体１１からなり、両者を嵌合することによって筐体１を構成するものである。
この場合筐体１は半透明よりなると共に樹脂部材より構成されているものである。
【００１６】
まず半透明により、内部の概略の視認性を有する反面、紫外線などの一部を反射し、内部に収納する臨時電源の保護が図れるものである。
この他、透明な筐体１を用いても或いは光透過性を有さずに内部が視認できない非透過性の筐体１をもって構成されるものでもよい。
次に本図に示す構成は樹脂製をもって構成するが、成形性やコスト面等の点で樹脂性が最もすぐれるが、これに限らず他の部材をもって構成するものであってもよい。
【００１７】
樹脂製の場合には、例えば硬質の樹脂材によって内部に収納する臨時電源をきっちりと保護することができることから適しているが、軟質樹脂製のものであっても衝撃等を該軟質樹脂で吸収し、収納する臨時電源の保護もできるものであり、いずれのものであってもよい。
少なくとも、収納する携帯電話用の臨時電源を収納する際に外部からの衝撃等により破損されることが防止できるものであればよい。
【００１８】
尚、少なくとも携帯電話の臨時電源を収納できる収納区画２を有する本体１０を有していればよいものである。
これは臨時電源に関して、破損防止を図ると共に常時所持可能とするためである。
次に本図に示す構成は筐体１を略二分割し、そのうちの一つを本体１０とし、他の一つを蓋体１１として構成するが、この形態に限らず例えば少なくとも臨時電源を収納できる収納区画２を有する本体であって、該臨時電源の筐体内の収納区画２内に収納可能であると共に筐体外に取り出し可能とするものであってもよい。
【００１９】
したがって収納区画内において収納状態を維持できるものであればよい。
尚、図示しないが、持ち運びや販売時の陳列等の便宜を図るための取っ手部或いは突出部分を有するものであってもよい。
【００２０】
図２は、図１に示す携帯電話の臨時電源用ケースの筐体１内に臨時電源４を収納した状態の一例を示す図である。
この場合、本体内には臨時電源４の形状に合致し、臨時電源４を本体１０内で保持可能な収納維持部である保持部３を有する。
この保持部３に臨時電源４を着脱自在に装着することによって筐体１内で臨時電源４を維持保管できる。
【００２１】
本図に示す構成は保持部３の中央部が臨時電源４の形状に応じた嵌め込み用の凹み３０を有するものであり、該凹み３０に嵌着することによって、臨時電源４をずれることなくきっちりと装着できるものである。
本図構成は一例であり、その他臨時電源４を包む構成のものでも、或いは筐体１内で支持可能な支持部を有する保持部３でもよい。
【００２２】
更に該保持部３は、衝撃吸収のできる部材例えば弾力性を有するゴム部材や各種樹脂部材でもよく、或いは紙製などであってもよい。
少なくとも臨時電源４を保持可能な部材であればよい。
従って保持可能な部材が更に衝撃吸収の効果を有するものであれば、臨時電源４の保護の確実性が高まるものであり、より効果的に実施できるものである。
【００２３】
図３は、図２に示す臨時電源４の一例を示す図である。
本図は臨時電源４の一例であり、本図構成の臨時電源４に限定されるものではなく一般的に市販されている或いは使用されている臨時電源において使用するものであればよい。
【００２４】
図４は、更に図２に示す携帯電話の臨時電源用ケースの筐体１に更に陳列用の吊り下げ片５１を有する一例である。
筐体１の本体１０と蓋体１１との嵌合部のうちの上部に隙間１２を有し、該隙間１２から吊り下げ片５１が突出しているものである。
従って、内部に説明用の紙片５を収納した上で該紙片５に連接する吊り下げ片５１を筐体１外部に配設することができる。
【図面の簡単な説明】
【００２５】
【図１】本考案に係る携帯電話の臨時電源用ケースの一例を示す図
【図２】臨時電源の一例を示す図
【図３】本考案に係る携帯電話の臨時電源用ケースの一例を示す図
【図４】本考案に係る携帯電話の臨時電源用ケースの一例を示す図
【符号の説明】
【００２６】
１    筐体
１０  本体
１１  蓋体
１２  隙間
２    収納区画
３    保持部
３０  嵌め込み用の凹み
４    臨時電源  
５    紙片
５１  陳列用の吊り下げ片
【図１】
0003143123.tif 000003
【図２】
0003143123.tif 000004
【図３】
0003143123.tif 000005
【図４】
0003143123.tif 000006